(57)【要約】【課題】  光ディスクに記録された情報データの記録状態が飛び飛びになっている場合、その光ディスクに記録された情報データを最適化して、光ディスクの再生時に、再生中の映像が途切れることなく光ディスクに記録された映像を再生することができるようにする。【解決手段】  光ディスクに記録された情報データの記録状態を検出して、その検出結果に基づいて光ディスクに記録された情報データの最適化の要・不要を判別してその判別結果を表示し、光ディスクに記録された情報データの最適化の要が表示された場合に、その情報データの複数の最適化方法の１つを選択して、光ディスクに記録された情報データを読み出して、読み出された情報データをハードディスクにコピーし、選択された最適化方法に基づいてハードディスクにコピーされた情報データを光ディスクに最適化して記録するようにする。【選択図】        図３
2005346808.tif 000002
【特許請求の範囲】
【請求項１】
ハードディスクに情報データを記録再生するＨＤＤ部と光ディスクに情報データを記録再生するＤＶＤ部とを有する記録再生装置であって、
光ディスクが記録再生装置にローディングされたとき、光ディスクに記録された情報データの記録状態を検出する検出手段と、前記検出手段の検出結果に基づいて前記光ディスクに記録された情報データの最適化の要・不要を判別する判別手段と、前記判別手段の判別結果を表示する表示手段と、前記表示手段により光ディスクに記録された情報データの最適化の要が表示された場合に、その情報データの複数の最適化方法の１つを選択する選択手段と、前記光ディスクに記録された情報データを読み出して、読み出された情報データを前記ハードディスクにコピーし、前記選択手段により選択された最適化方法に基づいて前記ハードディスクにコピーされた情報データを同じ光ディスク又は他の光ディスクに最適化して記録する最適化手段とを備えたことを特徴とする記録再生装置。
【請求項２】
ハードディスクに情報データを記録再生するＨＤＤ部と光ディスクに情報データを記録再生するＤＶＤ部とを有する記録再生装置であって、
光ディスクに記録された情報データの記録状態を検出する検出手段と、前記検出手段の検出結果に基づいて前記光ディスクに記録された情報データの最適化の要・不要を判別する判別手段と、前記判別手段の判別結果を表示する表示手段と、前記表示手段により光ディスクに記録された情報データの最適化の要が表示された場合に、その情報データの複数の最適化方法の１つを選択する選択手段と、前記光ディスクに記録された情報データを読み出して、読み出された情報データを前記ハードディスクにコピーし、前記選択手段により選択された最適化方法に基づいて前記ハードディスクにコピーされた情報データを光ディスクに最適化して記録する最適化手段とを備えたことを特徴とする記録再生装置。
【請求項３】
前記検出手段は、光ディスクが記録再生装置にローディングされたとき、光ディスクに記録された情報データの記録状態を検出することを特徴とする請求項２記載の記録再生装置。
【請求項４】
前記最適化手段は、前記ハードディスクにコピーされた情報データを同じ光ディスクに最適化して記録することを特徴とする請求項２記載の記録再生装置。
【請求項５】
前記最適化手段は、前記ハードディスクにコピーされた情報データを他の光ディスクに最適化して記録することを特徴とする請求項２記載の記録再生装置。
【発明の詳細な説明】
【技術分野】
【０００１】
本発明は、ＨＤＤ（Ｈａｒｄ  Ｄｉｓｋ  Ｄｒｉｖｅ）装置とＤＶＤ（Ｄｉｇｉｔａｌ  Ｖｅｒｓａｔｉｌｅ  Ｄｉｓｃ）等の光ディスクに情報データを記録再生するＤＶＤ装置とが組み込まれた記録再生装置に係り、特に光ディスクに記録された情報データを最適化することができる記録再生装置に関する。
【背景技術】
【０００２】
ＤＶＤ−ＲＷ（ＲｅＷｒｉｔａｂｌｅ）等の書き換え可能な光ディスクは、再生専用光ディスクと互換性を有しているが、頻繁に情報データの記録と消去とを繰り返すと、光ディスクの記録領域に情報データが記録された後、他の情報データが消去されたりすることにより、記録された情報データと消去された情報データとが光ディスクの記録領域に混在することになる。大容量のバッファを有する場合、光ディスクに記録された情報データを等倍速よりも速い４倍速、或いは６倍速等以上の高速で読み出して、読み出した情報データをバッファに一時的に記憶し、バッファに記憶された情報データを信号処理して再生するようにしているため、光ディスクに記録された情報データの記録状態が飛び飛びになっていても、バッファに記憶された情報データを再生してモニタ装置の画面に映像を途切れることなく表示することができる。しかし、バッファの記憶容量が少ない場合、光ディスクに記録された情報データを高速で読み出してバッファに多くの情報データを記憶することができないため、光ディスクに記録された情報データの記録状態が飛び飛びになっていると、光ピックアップのアクセスが間に合わず、記録状態が飛び飛びになっている情報データの境目でモニタ装置の画面に表示された映像が瞬時途切れたりするという問題があった。
背景技術としては、記録容量の異なる記録媒体間で情報データをダビングする際、記録容量の小さい記録媒体の記録容量単位で情報データのエントリポイントを発生させて、記録容量の大きい記録媒体に記録された情報データを、その情報データのエントリポイント情報を含めて記録容量の小さい記録媒体にダビングするようにしたものがあった（例えば、特許文献１参照）。
また、参照情報格納部と実データ格納部とで構成される第１のファイル形式と参照情報部のみからなる第２のファイル形式とが許容されるファイル構造を持つように記録データのデータ構造を変換し、第２の形式のファイル形式のファイルの参照情報格納部に、参照ファイル情報と記録媒体の媒体識別情報又は媒体識別情報を変換したと情報を記録するようにしたものがあった（例えば、特許文献２参照）。
【特許文献１】特開２００３−１０９３００号公報
【特許文献２】特開２００１−１０１７９０号公報
【発明の開示】
【発明が解決しようとする課題】
【０００３】
しかしながら、背景技術で述べたものは、いずれも、光ディスクに記録された情報データを読み出して一時的に記憶するバッファの記憶容量が少ない場合に、光ディスクに記録された情報データの記録状態が飛び飛びになっている場合、光ピックアップのアクセスが間に合わず、記録状態が飛び飛びになっている情報データの境目で画面に表示された映像が瞬時途切れたりするという上記問題点を解決するものではなかった。
本発明は、背景技術の有するこのような問題点に鑑みてなされたものであり、その目的とするところは、光ディスクに記録された情報データの記録状態が飛び飛びになっている場合、その光ディスクに記録された情報データを最適化して、光ディスクの再生時に、再生中の映像が途切れることなく光ディスクに記録された映像を再生することができる記録再生装置を提供しようとするものである。
【課題を解決するための手段】
【０００４】
上記目的を達成するため本発明においては、ハードディスクに情報データを記録再生するＨＤＤ部と光ディスクに情報データを記録再生するＤＶＤ部とを有する記録再生装置であって、光ディスクに記録された情報データの記録状態を検出する検出手段と、前記検出手段の検出結果に基づいて前記光ディスクに記録された情報データの最適化の要・不要を判別する判別手段と、前記判別手段の判別結果を表示する表示手段と、前記表示手段により光ディスクに記録された情報データの最適化の要が表示された場合に、その情報データの複数の最適化方法の１つを選択する選択手段と、前記光ディスクに記録された情報データを読み出して、読み出された情報データを前記ハードディスクにコピーし、前記選択手段により選択された最適化方法に基づいて前記ハードディスクにコピーされた情報データを光ディスクに最適化して記録する最適化手段とを備える。
前記検出手段は、光ディスクが記録再生装置にローディングされたとき、光ディスクに記録された情報データの記録状態を検出するようにするとよい。
前記最適化手段は、前記ハードディスクにコピーされた情報データを同じ光ディスクに最適化して記録するようにするとよい。
また、前記最適化手段は、前記ハードディスクにコピーされた情報データを他の光ディスクに最適化して記録するようにしてもよい。
これらの手段により、光ディスクに記録された情報データの記録状態が飛び飛びになっている場合、その光ディスクに記録された情報データを最適化して、光ディスクの再生時に、再生中の映像が途切れることなく光ディスクに記録された映像を再生することができる。
【発明の効果】
【０００５】
請求項１記載の発明に係る記録再生装置によれば、光ディスクが記録再生装置にローディングされたとき、光ディスクに記録された情報データの記録状態を検出して、その検出結果に基づいて光ディスクに記録された情報データの最適化の要・不要を判別してその判別結果を表示し、光ディスクに記録された情報データの最適化の要が表示された場合に、その情報データの複数の最適化方法の１つを選択して、光ディスクに記録された情報データを読み出して、読み出された情報データをハードディスクにコピーし、選択された最適化方法に基づいてハードディスクにコピーされた情報データを同じ光ディスク又は他の光ディスクに最適化して記録するようにしているので、光ディスクが記録再生装置にローディングされたとき、記録再生装置にローディングされた光ディスクに記録された情報データの記録状態が飛び飛びになっている場合、その光ディスクに記録された情報データを最適化して、光ディスクの再生時に、再生中の映像が途切れることなく光ディスクに記録された映像を再生することができる。
請求項２記載の発明に係る記録再生装置によれば、光ディスクに記録された情報データの記録状態を検出して、その検出結果に基づいて光ディスクに記録された情報データの最適化の要・不要を判別してその判別結果を表示し、光ディスクに記録された情報データの最適化の要が表示された場合に、その情報データの複数の最適化方法の１つを選択して、光ディスクに記録された情報データを読み出して、読み出された情報データをハードディスクにコピーし、選択された最適化方法に基づいてハードディスクにコピーされた情報データを光ディスクに最適化して記録するようにしているので、光ディスクに記録された情報データの記録状態が飛び飛びになっている場合、その光ディスクに記録された情報データを最適化して、光ディスクの再生時に、再生中の映像が途切れることなく光ディスクに記録された映像を再生することができる。
請求項３記載の発明に係る記録再生装置によれば、光ディスクが記録再生装置にローディングされたとき、光ディスクに記録された情報データの記録状態を検出するようにしているので、記録再生装置にローディングされた光ディスクに記録された情報データの記録状態が飛び飛びになっているか否かが容易にわかり、光ディスクに記録された情報データの最適化の要・不要を知ることができる。
請求項４記載の発明に係る記録再生装置によれば、ハードディスクにコピーされた情報データを同じ光ディスクに最適化して記録するようにしているので、同じ光ディスクを有効に利用して、情報データを同じ光ディスクに最適化して記録することができる。
請求項５記載の発明に係る記録再生装置によれば、ハードディスクにコピーされた情報データを他の光ディスクに最適化して記録するようにしているので、複数の光ディスクに記録された情報データを最適化して１つの他の光ディスクに記録することができる。
【発明を実施するための最良の形態】
【０００６】
以下、適宜図面を参照しながら本発明を実施するための最良の形態を詳述する。図１は本発明の一実施例の記録再生装置の構成を示すブロック図であり、図２は本発明の一実施例の記録再生装置の最適化の設定画面の表示例を示す図であり、図３は本発明の一実施例の記録再生装置の最適化を模式的に示す図であり、図４は本発明の一実施例の記録再生装置の最適化の動作を示すフローチャートである。
まず、図１の本発明の一実施例の記録再生装置の構成を示すブロック図を基に説明する。
記録再生装置１は、アンテナ１０により受信されたテレビ放送電波から選択されたチャンネルのテレビ放送を受信するチューナ２と、チューナ２により受信されたテレビ放送の情報データ、ＨＤＤ部５のハードディスクに記録再生する情報データ、並びにＤＶＤ部６の光ディスクに記録再生する情報データの信号を処理する信号処理回路３と、ＨＤＤ部５の情報データの記録再生とＤＶＤ部６の情報データの記録再生とを制御するストレージ制御部４と、映像信号に文字情報信号を重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路７と、記録再生装置１のシステム全体を制御するマイコン８と、リモコン装置２０から送信された赤外線信号のリモコン信号を受信して、所定の電気信号に変換するリモコン受信部９とで構成されている。
以上のように構成された記録再生装置について、以下その動作について説明する。
光ディスクが記録再生装置１のＤＶＤ部６にローディングされると、マイコン８は、ストレージ制御部４に制御信号を送出して、ＤＶＤ部６にローディングされた光ディスクに記録された情報データの記録状態が飛び飛びになっているか否かを検出する。そして、マイコン８は、ＤＶＤ部６にローディングされた光ディスクに記録された情報データの記録状態が飛び飛びになっていて（図３（ａ）参照）、光ディスクに記録された情報データの最適化が必要であるか否かを判断して、光ディスクに記録された情報データの最適化が必要であると判断した場合、文字情報信号と制御信号とをＯＳＤ回路７に送出して、記録再生装置１のＤＶＤ部６にローディングされた光ディスクに記録された情報データの最適化が必要である旨をモニタ装置３０の画面３０ａに表示する（図２（ａ）参照）。
そして、モニタ装置３０の画面３０ａに表示された、光ディスクに記録された情報データの最適化の方法、即ち、同じ光ディスクに情報データを最適化して記録するか、他の光ディスクに情報データを最適化して記録するか（図２（ａ）参照）のいずれかがリモコン装置の操作キーの操作により選択され、光ディスクに記録された情報データの最適化の実行が指令されると、マイコン８は、ストレージ制御部４に制御信号を送出して、ＤＶＤ部６にローディングされた光ディスクに記録された情報データを読み出し、その読み出した情報データをＨＤＤ部５のハードディスクにコピーする。光ディスクに記録された情報データの読み出しが終了すると、マイコン８は、文字情報信号と制御信号とをＯＳＤ回路７に送出して、最適化を実行する旨をモニタ装置３０の画面３０ａに表示する（図２（ｂ）参照）。
情報データを同じ光ディスクに最適化して記録せずに、情報データを他の光ディスクに最適化して記録する場合は、ＤＶＤ部６の光ディスクを他の光ディスクに交換する。そして、リモコン装置の操作キーの操作により情報データの記録の実行が指令された場合、マイコン８は、ストレージ制御部４に制御信号を送出して、ＤＶＤ部６の光ディスクから読み出されてＨＤＤ部５のハードディスクにコピーされた情報データを読み出して、読み出した情報データを最適化して一連の連続した情報データにしてＤＶＤ部６の光ディスクに記録する（図３（ｂ）参照）。なお、光ディスクに記録された情報データの最適化の実行が中止された場合、光ディスクに記録された情報データの最適化が実行されず、光ディスクに記録された情報データは元のまま残されている。
また、図４の本発明の一実施例の記録再生装置の最適化の動作を示すフローチャートを基に説明する。
光ディスクが記録再生装置にローディングされると、ステップＳ１からステップＳ２に進み、ステップＳ２で、記録再生装置にローディングされた光ディスクに記録された情報データの記録状態が飛び飛びになっていて、光ディスクに記録された情報データの最適化が必要であるか否かが判断され、光ディスクに記録された情報データの最適化が必要である場合、ステップＳ３に進み、光ディスクに記録された情報データの最適化が必要でない場合、ステップＳ１０に進んで処理を終了する。
ステップＳ３で、記録再生装置にローディングされた光ディスクに記録された情報データの最適化が必要である旨がモニタ装置の画面に表示され、ステップＳ４に進む。
ステップＳ４で、リモコン装置の操作キーの操作により光ディスクに記録された情報データの複数の最適化方法の１つが選択され、光ディスクに記録された情報データの最適化の実行が指令されたか否かが判断され、光ディスクに記録された情報データの最適化の実行が指令された場合、ステップＳ５に進み、光ディスクに記録された情報データの最適化の実行が指令されない場合、ステップＳ１０に進んで処理を終了する。
ステップＳ５で、光ディスクに記録された情報データが読み出され、読み出された情報データがハードディスクにコピーされて、ステップＳ６に進む。
ステップＳ６で、光ディスクに記録された情報データの読み出しが終了したか否かが判断され、光ディスクに記録された情報データの読み出しが終了した場合、ステップＳ７に進み、光ディスクに記録された情報データの読み出しが終了していない場合、ステップＳ５に戻って、ステップＳ５からのステップを繰り返す。
ステップＳ７で、リモコン装置の操作キーの操作により光ディスクに記録された情報データの最適化の中止が指令されたか否かが判断され、光ディスクに記録された情報データの最適化の中止が指令された場合、ステップＳ１０に進んで処理を終了し、光ディスクに記録された情報データの最適化の中止が指令されていない場合、ステップＳ８に進む。
ステップＳ８で、リモコン装置の操作キーの操作により情報データを最適化して光ディスクへの記録する情報データの記録の実行が指令されたか否かが判断され、情報データを最適化して光ディスクへの記録する情報データの記録の実行が指令された場合、ステップＳ９に進み、情報データを最適化して光ディスクへの記録する情報データの記録の実行が指令されていない場合、ステップＳ７に戻って、ステップＳ７からのステップを繰り返す。
ステップＳ９で、光ディスクから読み出されてハードディスクにコピーされた情報データが読み出され、読み出された情報データが最適化されて一連の連続した情報データにして光ディスクに記録され、ステップＳ１０に進んで処理を終了する。
以上、本発明を実施するための最良の形態について詳述したが、本発明はこれに限らず、当業者の通常の知識の範囲内でその変形や改良が可能である。例えば、光ディスクに記録された情報データをハードディスクにコピーして、ハードディスクにコピーした情報データを光ディスクに最適化して記録することを説明したが、光ディスクに記録された情報データをデジタルビデオカセット等の記録媒体にコピーして、デジタルビデオカセット等の記録媒体にコピーした情報データを光ディスクに最適化して記録するようにしてもよい。
【図面の簡単な説明】
【０００７】
【図１】本発明の一実施例の記録再生装置の構成を示すブロック図である。
【図２】本発明の一実施例の記録再生装置の最適化の設定画面の表示例を示す図である。
【図３】本発明の一実施例の記録再生装置の最適化を模式的に示す図である。
【図４】本発明の一実施例の記録再生装置の最適化の動作を示すフローチャートである。
【符号の説明】
【０００８】
１  記録再生装置
２  チューナ
３  信号処理回路
４  ストレージ制御部
５  ＨＤＤ部
６  ＤＶＤ部
７  ＯＳＤ回路
８  マイコン
９  リモコン受信部
１０  アンテナ
２０  リモコン装置
３０  モニタ装置
３０ａ  画面
【図１】
2005346808.tif 000003
【図２】
2005346808.tif 000004
【図３】
2005346808.tif 000005
【図４】
2005346808.tif 000006